(57)【要約】【課題】  容易に、誤差が少なく重ね合わせることが出来る画像重ね合せ装置を実現する。【解決手段】  脳機能測定装置の測定結果と複数の医用画像装置の測定結果とを重ね合わせる重ね合わせ装置において、  前記脳機能装置の測定信号と一つの医用形態画像装置（Ａ）の対応する位置測定信号を用い脳機能測定装置の測定信号と一つの医用形態画像装置（Ａ）の測定信号とを互いの座標系信号に変換する信号変換式を求める第１の変換演算回路と、前記医用形態画像装置（Ａ）とこれとは別の医用画像装置（Ｂ）の対応する位置測定信号を用い前記医用形態画像装置（Ａ）の測定信号と前記これとは別の医用画像装置（Ｂ）の測定信号とを互いの座標系信号に変換する信号変換式を求める第２の変換演算回路と、前記第１、第２の変換演算回路の変換式を用い前記脳機能測定装置の信号と前記医用画像装置（Ｂ）の信号とを互いの座標系信号に変換する信号変換式を求める第３の変換演算回路とを具備したことを特徴とする画像重ね合わせ装置である。【選択図】                    図１
2006167350.tif 000002
【特許請求の範囲】
【請求項１】
部分的機能測定装置の測定結果と複数の医用画像装置の測定結果とを重ね合わせる重ね合わせ装置において、
前記部分的機能装置の測定信号と一つの医用形態画像装置（Ａ）の対応する位置測定信号を用い脳機能測定装置の測定信号と一つの医用形態画像装置（Ａ）の測定信号とを互いの座標系信号に変換する信号変換式を求める第１の変換演算回路と、
前記医用形態画像装置（Ａ）とこれとは別の医用画像装置（Ｂ）の対応する位置測定信号を用い前記医用形態画像装置（Ａ）の測定信号と前記これとは別の医用画像装置（Ｂ）の測定信号とを互いの座標系信号に変換する信号変換式を求める第２の変換演算回路と、
前記第１、第２の変換演算回路の変換式を用い前記脳機能測定装置の信号と前記医用画像装置（Ｂ）の信号とを互いの座標系信号に変換する信号変換式を求める第３の変換演算回路と
を具備したことを特徴とする画像重ね合わせ装置。
【請求項２】
脳機能測定装置の測定結果と複数の医用画像装置の測定結果とを重ね合わせる重ね合わせ装置において、
前記脳機能装置の測定信号と一つの医用形態画像装置（Ａ）の対応する位置測定信号を用い脳機能測定装置の測定信号と一つの医用形態画像装置（Ａ）の測定信号とを互いの座標系信号に変換する信号変換式を求める第１の変換演算回路と、
前記医用形態画像装置（Ａ）とこれとは別の医用画像装置（Ｂ）の対応する位置測定信号を用い前記医用形態画像装置（Ａ）の測定信号と前記これとは別の医用画像装置（Ｂ）の測定信号とを互いの座標系信号に変換する信号変換式を求める第２の変換演算回路と、
前記第１、第２の変換演算回路の変換式を用い前記脳機能測定装置の信号と前記医用画像装置（Ｂ）の信号とを互いの座標系信号に変換する信号変換式を求める第３の変換演算回路と
を具備したことを特徴とする画像重ね合わせ装置。
【発明の詳細な説明】
【技術分野】
【０００１】
本発明は、脳機能測定装置の測定画像を医用画像装置の測定画像に容易に重ね合わせることが出来る画像重ね合せ装置に関するものである。
【背景技術】
【０００２】
画像重ね合せ装置に関連する先行技術文献としては次のようなものがある。
【０００３】
【非特許文献１】原宏、栗城真也編、「脳磁気科学」、第１版、オーム社、平成９年１月２５日発行
【非特許文献２】（社）日本電子機械工業会編、「改訂ＭＥ機器ハンドブック」改定版、コロナ社、１９９６年４月５日改定版発行
【非特許文献３】渡部浩司、「マルチモダリティの画像位置合わせと重ね合わせ」、日本放射線技術学会誌、２００３年１月、第５９巻  第１号、Ｐ６０−Ｐ６５。
【０００４】
図７はこのような従来の、脳機能測定装置の測定画像結果を医用画像装置の測定画像結果に重ね合わせる画像重ね合せ装置で、脳磁図（ＭＥＧ：Magneto encephalo graph  、以下「ＭＥＧ」と称する。）を磁気共鳴画像（ＭＲＩ：Magnetic Resonance Imaging  、以下「ＭＲＩ」と称する。）に重ね合わせる画像重ね合せ装置の一例を示す構成ブロック図である。
【０００５】
図８から図１１は図７の動作説明図である。
図において、１は、ＭＥＧの装置、２はＭＲＩの装置である。
３はＭＥＧの画像を、ＭＲＩの画像に重ね合わすための変換演算回路である。
【０００６】
以上の構成において、従来は、ＭＥＧ、ＭＲＩともに専用マーカを使用して、そのマーカ間の位置合わせを変換演算回路３を使用して行っていた。
【０００７】
即ち、
（Ａ）図８に示す如く、ＭＥＧを測定する前に、頭部Ａに３個以上のマーカコイル４を貼り付ける。
（Ｂ）図９に示す如く、ＭＥＧ測定器１に頭を入れた状態で、マーカコイル４１，４２，４３，４４，４５に電流を流しマーカコイルから磁場を発生させる。
【０００８】
（Ｃ）図１０に示す如く、ＭＥＧのセンサＢでその磁場を測定し、マーカコイル４１，４２，４３，４４，４５の位置を計算する。
図１０において、(ａ)は上下方向の投影図、(ｂ)は左右方向の投影図、(ｃ)は前後方向の投影図を示す。
（Ｄ）ＭＥＧを計測する。
【０００９】
（Ｅ）一方、図１１に示す如く、(Ａ)と同じ場所にＭＲＩ用マーカ(ビタミン剤など)５１，５２，５３，５４，５５を貼り付ける。
【００１０】
（Ｆ）図１２に示す如く、ＭＲＩを測定する
（Ｇ）図１２に示す如く、ＭＲＩ測定結果から、マーカ５１，５２，５３，５４，５５の位置を測定する。
図１２において、(ａ)は水平断面（Ａｘｉａｌ  ｓｌｉｃｅ）、(ｂ)は矢状断面（Ｓａｇｉｔｔａｌ  Ｓｌｉｃｅ）、(ｃ)は冠状断面（Ｃｏｒｏｎａｌ  Ｓｌｉｃｅ）を示す。
【００１１】
（Ｈ）（Ｃ）と（Ｇ）の結果から、対応するマーカの測定位置を用いて、ＭＥＧの結果をＭＲＩに重ね合わせるための変換式を求める。
（Ｉ）（Ｈ）で求めた変換行列を用いて、変換演算回路３によりＭＥＧの計測結果（Ｄ）をＭＲＩへ重ね合わせる。
【発明の開示】
【発明が解決しようとする課題】
【００１２】
現在の脳機能画像診断においては、１つの医用画像だけに重ねあわせるのではなく、他の様々な医用画像に重ね合わせた多角的な診断が必要となっている。
しかしながら、このような脳機能測定装置においては、脳機能の計測結果を他の様々な医用画像に重ね合わせて表示するには、個々の医用画像を計測する際に、マーカなどを貼付け、それぞれの対応を取る必要が生じてしまう。
個々の医用画像の計測時にマーカを貼り付けるのは操作が非常に煩雑で、また、位置合わせ誤差が発生しやすくなる。
【００１３】
脳機能測定装置の測定結果を様々な医用画像に容易にかつ誤差が少なく重ね合わせることが出来、多角的な診断が直接的に分かりやすく行うことが出来る画像重ね合せ装置を提供することを目的とする。
【課題を解決するための手段】
【００１４】
このような課題を達成するために、本発明では、請求項１の画像重ね合せ装置においては、
部分的機能測定装置の測定結果と複数の医用画像装置の測定結果とを重ね合わせる重ね合わせ装置において、
前記部分的機能装置の測定信号と一つの医用形態画像装置（Ａ）の対応する位置測定信号を用い脳機能測定装置の測定信号と一つの医用形態画像装置（Ａ）の測定信号とを互いの座標系信号に変換する信号変換式を求める第１の変換演算回路と、前記医用形態画像装置（Ａ）とこれとは別の医用画像装置（Ｂ）の対応する位置測定信号を用い前記医用形態画像装置（Ａ）の測定信号と前記これとは別の医用画像装置（Ｂ）の測定信号とを互いの座標系信号に変換する信号変換式を求める第２の変換演算回路と、前記第１、第２の変換演算回路の変換式を用い前記脳機能測定装置の信号と前記医用画像装置（Ｂ）の信号とを互いの座標系信号に変換する信号変換式を求める第３の変換演算回路とを具備したことを特徴とする。
【００１５】
本発明の請求項２においては、
前記脳機能装置の測定信号と一つの医用形態画像装置（Ａ）の対応する位置測定信号を用い脳機能測定装置の測定信号と一つの医用形態画像装置（Ａ）の測定信号とを互いの座標系信号に変換する信号変換式を求める第１の変換演算回路と、前記医用形態画像装置（Ａ）とこれとは別の医用画像装置（Ｂ）の対応する位置測定信号を用い前記医用形態画像装置（Ａ）の測定信号と前記これとは別の医用画像装置（Ｂ）の測定信号とを互いの座標系信号に変換する信号変換式を求める第２の変換演算回路と、前記第１、第２の変換演算回路の変換式を用い前記脳機能測定装置の信号と前記医用画像装置（Ｂ）の信号とを互いの座標系信号に変換する信号変換式を求める第３の変換演算回路とを具備したことを特徴とする。
【発明の効果】
【００１６】
本発明の請求項１によれば、次のような効果がある。
部分的機能測定装置の測定結果を様々な医用画像装置の測定画像とを重ね合わせる際に、１つの医用形態画像を介在させることにより、
部分的機能測定装置の測定結果と様々な医用画像装置とを容易でかつ位置合わせ誤差を少なく重ね合わせることができる重ね合わせ装置が得られる。
【００１７】
本発明の請求項２によれば、次のような効果がある。
脳機能測定装置の測定結果を様々な医用画像装置の測定画像とを重ね合わせる際に、１つの医用形態画像を介在させることにより、
脳機能測定装置の測定結果と様々な医用画像装置とを容易でかつ位置合わせ誤差を少なく重ね合わせることができる重ね合わせ装置が得られる。
【発明を実施するための最良の形態】
【００１８】
以下本発明を図面を用いて詳細に説明する。
図１は本発明の一実施例の要部構成説明図、図２から図６は図１の動作説明図で、脳磁図（ＭＥＧ：Magneto encephalo graph  、以下「ＭＥＧ」と称する。）をシングルフォトン断層法画像（ＳＰＥＣＴ：Single Photon Emission Computed Tomography  、以下「ＳＰＥＣＴ」と称する。）に重ね合わせる画像重ね合せ装置の一例を示す構成ブロック図である。
【００１９】
図において、第１の変換演算回路１１は、脳機能測定装置１と医用形態画像装置２との対応する位置測定信号を用い、脳機能測定装置１の信号と医用形態画像装置２の信号を互いの対応する座標系信号に変換する信号変換式を求める。
第２の変換演算回路１２は、医用形態画像装置２と他の医用画像装置３との対応する位置測定信号を用い、医用形態画像装置２の信号と医用画像装置３の信号を互いの対応する座標系信号に変換する信号変換式を求める。
【００２０】
第３の変換演算回路１３は、第１，第２の変換演算回路１１，１２の変換式を用い、脳機能測定装置１の信号と医用画像装置３の信号を互いの対応する座標系信号に変換する信号変換式を求める。
この場合は、脳機能測定装置１として、脳磁計（ＭＥＧ）が使用されているが、他の脳機能測定装置（例えば、ＥＥＧ、ＮＩＲＳなど）が使用されても良い。
医用形態画像装置２として、磁気共鳴画像装置（ＭＲＩ）の装置が使用されいてるが、他の医用形態画像装置（例えば、ＣＴなど）が使用されても良い。
医用画像装置３として、シングルフォトン断層法画像（ＳＰＥＣＴ）の装置が使用されているが、その他様々な医用画像装置が使用されても良い。
【００２１】
以上の構成において、
（１）図２に示す如く、脳機能測定装置（ＭＥＧ測定装置）１により、被験者の頭部に貼り付けたマーカ位置を測定する。
（２）図３に示す如く、（１）の結果を用いて、同一被験者の医用形態画像装置（ＭＲＩ測定装置）２の画像との位置合わせを行い、ＭＥＧとＭＲＩの変換式１１を求める。
図３において、(ａ)は水平断面（Ａｘｉａｌ  ｓｌｉｃｅ）、(ｂ)は矢状断面（Ｓａｇｉｔｔａｌ  Ｓｌｉｃｅ）、(ｃ)は冠状断面（Ｃｏｒｏｎａｌ  Ｓｌｉｃｅ）を示す。
【００２２】
（３）図４に示す如く、画像処理により、（２）のＭＲＩから頭部表面を抽出する。
（４）図５に示す如く、（３）の結果を用いて同一被験者の今度は、ＳＰＥＣＴとの位置合わせを行い、ＭＲＩとＳＰＥＣＴとの変換式１２を求める。
【００２３】
（５）（２）および（４）の結果を用いて、ＭＥＧとＳＰＥＣＴ間の変換式１３を求める。
（６）図６に矢印で示す如く、（５）の結果を用いて、ＭＥＧで測定した結果を、ＳＰＥＣＴの画像上へ重ね合わせる。
ここで、矢印部分は、ＭＥＧで計測された電流ダイポールを示す。
【００２４】
この結果、
従来は、ＭＥＧをＳＰＥＣＴ画像上へ直接重ね合わせる技術がなく、両者の対応を取るのが非常に困難であった。
この技術により、直接的に対応が取れるので、非常に分かりやすい診断が可能となる。
【００２５】
即ち、医用形態画像装置２を介在させることにより、脳機能測定装置１の測定画像と医用画像装置３の測定画像とを容易にに重ね合わせることが出来、分かり易い診断が可能となる画像重ね合せ装置が得られる。
【００２６】
ここで、
脳機能測定装置には、ＭＥＧ、ＥＥＧ、ＮＩＲＳが含まれ、医用形態画像装置には、ＭＲＩ、ＣＴが含まれ、医用画像装置には、ＭＲＩ、ＣＴ、ＰＥＴ、ＳＰＥＣＴが含まれる。
また、
ＭＥＧ：Magneto encephalo graph（脳磁図）
ＥＥＧ：Electro encephalo graph（脳波）
ＭＲＩ：Magnetic Resonance Imaging（磁気共鳴画像）
ＣＴ：computed tomography（コンピュータ断層法）
ＰＥＴ：Positron Emission Tomography（陽電子放出断層撮影）
ＳＰＥＣＴ：Single Photon Emission Computed Tomography（シングルフォトン断層法）
ＮＩＲＳ：Near Infrared Spectroscopy（近赤外分光法）
を表す。
【００２７】
なお、前述の実施例においては、ＭＥＧの画像をＭＲＩの画像に重ね合わせる場合に、マーカコイル４１，４２，４３，４４，４５を利用した場合について説明したが、これに限ることはないことは勿論である。
また、前述の実施例においては、脳機能装置に付いて説明したが、これに限ることはなく、部分的機能装置であれば良い。
【００２８】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２９】
【図１】本発明の一実施例の要部構成説明図である。
【図２】図１の動作説明図である。
【図３】図１の動作説明図である。
【図４】図１の動作説明図である。
【図５】図１の動作説明図である。
【図６】図１の動作説明図である。
【図７】従来より一般に使用されている従来例の構成説明図である。
【図８】図７の動作説明図である。
【図９】図７の動作説明図である。
【図１０】図７の動作説明図である。
【図１１】図７の動作説明図である。
【図１２】図７の動作説明図である。
【符号の説明】
【００３０】
１        ＭＥＧの装置
２        ＭＲＩの装置
３        変換演算回路
４        マーカコイル
４１      マーカコイル
４２      マーカコイル
４３      マーカコイル
４４      マーカコイル
４５      マーカコイル
５        ＭＲＩ用マーカ
５１      ＭＲＩ用マーカ
５２      ＭＲＩ用マーカ
５３      ＭＲＩ用マーカ
５４      ＭＲＩ用マーカ
５５      ＭＲＩ用マーカ
１１      第１の変換演算回路
１２      第２の変換演算回路
１３      第３の変換演算回路
【図１】
2006167350.tif 000003
【図２】
2006167350.tif 000004
【図７】
2006167350.tif 000005
【図８】
2006167350.tif 000006
【図９】
2006167350.tif 000007
【図１１】
2006167350.tif 000008
【図３】
2006167350.tif 000009
【図４】
2006167350.tif 000010
【図５】
2006167350.tif 000011
【図６】
2006167350.tif 000012
【図１０】
2006167350.tif 000013
【図１２】
2006167350.tif 000014